(57)【要約】      （修正有）【課題】顔面を覆える大きさのシールドを髪形によらず顔面にしっかりと固定できることでウイルスや細菌等の飛沫感染を防止すると共に、顔への固定具が目立たず、本体を装着したまま飲料等の摂取も可能なフェイスシールドを提供する。【解決手段】フェイスシールドは、顔面を覆える大きさの透明なシールド２に、透明または半透明な顎当て（フレーム１）をつけ、左右それぞれフレーム１とシールド２の二か所に両耳で固定するための紐３をつける。フレーム１は透明または半透明な素材であると共に顔面の下部にあることから目立たず、どのような髪形であっても装着できる。加えて、シールド２が顔面を覆える大きさであることから、ウイルスや細菌等の飛沫感染を防止できる。さらに、フレーム１とシールド２の間に下方開口部４を持たせることで、本体を装着したままストロー等による飲料の摂取が可能となる。【選択図】図１
0003228407.tif 000002
【実用新案登録請求の範囲】
【請求項１】
眉毛の上から顎まで覆える大きさの透明なシールドに、顔面への固定具として透明または半透明な顎当てと両耳で固定する紐とがついていると共に、顎当てとシールドの間に下方開口部があることを特徴とするフェイスシールド
【考案の詳細な説明】
【技術分野】
【０００１】  本考案は、固定具が目立たず、飲料等の摂取が可能なフェイスシールドに関するものである。
【背景技術】
【０００２】  ウイルスや細菌等の飛沫感染予防用の透明なプラスチック製のフェイスシールドには、不織布マスクや眼鏡、ヘルメット等のような自身の装着物に取り付けて使用するタイプと、シールドの上部にバンドがついており、それを額に巻いて使用するタイプとがある。また、口元のみを透明なプラスチック製のシールドで覆うマウスシールドと呼ばれるものがある。
【先行技術文献】
【非特許文献】
【０００３】
【非特許文献１】「日興商会  おすすめ商品  口元や目からの感染予防に  フェイスシールド」，株式会社日興商会，２０２０年，ｈｔｔｐｓ：／／ｎｉｋｋｏ．ｂｕｎｇｕｃｌｕｂ．ｃｏ．ｊｐ／ｐｒｏｄｕｃｔ／２０２００４−５１７６／
【非特許文献２】「新型コロナ対応／全国の現場にマウスシールド／清水建設  熱中症リスクを低減」，建設通信新聞ＤＩＧＩＴＡＬ，２０２０年，ｈｔｔｐｓ：／／ｗｗｗ．ｋｅｎｓｅｔｓｕｎｅｗｓ．ｃｏｍ／ａｒｃｈｉｖｅｓ／４６１５１９
【考案の概要】
【考案が解決しようとする課題】
【０００４】  対面での接客業やサービス業の場面では、近距離でのウイルスや細菌等の飛沫感染を防止するために、眉毛の上から顎まで覆える大きさのシールドを、頭部を動かす動作をしてもずれることなく、しっかりと固定して使用できることが必要となる。それと共に、顔や表情、髪形等を接客相手に違和感なくクリアに見せるために、顔への装着物をできるだけ目立たないものにする必要がある。また、本体を装着したままで、接客相手と共に飲料等を摂取できることが望ましい。しかし、マスクや眼鏡、ヘルメット等の装着物に透明なシールドを取り付けて使用するタイプでは、これらの装着物が邪魔をして顔や表情を接客相手に違和感なくクリアに見せることができない。また、バンドを額に巻いて使用するタイプでは、額のバンドに違和感を持ちやすいと共に、髪形によっては使用できない恐れがある。一方、口元のみを透明なシールドで覆うマウスシールドでは、固定具は目立たないものの、他者が発した飛沫から装着者本人の鼻や目を保護できないことに加えて、本体を装着したまま飲料等を摂取できない。本考案は、顔面を覆える大きさのシールドを髪形によらず顔面にしっかりと固定できるようにすることでウイルスや細菌等の飛沫感染を防止すると共に、顔への固定具が目立たず、本体を装着したまま飲料等の摂取も可能とすることにより、前述の欠点を解決しようとするものである。
【課題を解決するための手段】
【０００５】  眉毛の上から顎まで覆える大きさの透明なシールドに、透明または半透明な顎当て（フレーム）をつけると共に、左右それぞれシールドとフレームの二か所に両耳で固定するための紐をつける。フレームは透明または半透明な素材であると共に顔面の下部にあることから目立たず、また顔面の下部で固定することからどのような髪形であっても装着できる。さらに紐で両耳と固定することで、顔面にしっかり固定することが可能となる。加えて、シールドが眉毛の上から顎まで覆える大きさであることから、ウイルスや細菌等の飛沫感染を防止できる。さらに、シールドとフレームの間に下方開口部を持たせることで、本体を装着したままストロー等による飲料等の摂取が可能となる。
【考案の効果】
【０００６】  上述の様に、本考案におけるフェイスシールドは、顔への固定具が目立たないために、顔や表情、髪形等を違和感なくクリアに見せることができる。加えて、眉毛の上から顎まで覆える大きさのシールドを、どのような髪形であっても、顔面からずれることなく、しっかりと顔面に固定して使用でき、ウイルスや細菌等の飛沫感染を防止できる。さらに、本体を装着したまま飲料等を摂取できることから、とりわけ対面での接客業やサービス業の場面において、従来技術と比べて役立つ。
【図面の簡単な説明】
【０００７】
【図１】固定具が目立たず、飲料等の摂取が可能なフェイスシールドの一実施例を示す側面図である。
【考案を実施するための形態】
【０００８】  透明なフェイスシールドの下部についている透明または半透明なフレームを顎に当てると共に、左右それぞれフレームとシールドの二か所についている紐で両耳を固定する。フレームとシールドの間にある下方開口部からストロー等により、本体を装着したまま飲料等の摂取を行う。
【実施例】
【０００９】  以下、添付図面に従って一実施例を説明する。１は軽量で柔軟性のある透明または半透明なプラスチック等適宜素材にて一体化整形された顎当てであるフレーム、２は軽量で柔軟性のある透明なポリプロピレン等適宜素材にて整形されており、眉毛の上から顎まで覆える大きさのシールドである。３は両耳で固定するためのゴム製の紐である。紐３は左右それぞれフレーム１とシールド２の二か所に適切な間隔を開けて固定する。４はフレーム１とシールド２の隙間（下方開口部）である。【００１０】  フレーム１は、顎への負担がかからずしっかり固定できるように、軽量で柔軟性のある素材を用いる。また、目立たないようにするため、透明または半透明な素材を用いる。【００１１】  シールド２は、前方を見通せるように、透明な素材を用いる。また、顔への負担がかからないように、軽量な素材を用いる。さらに、眉毛の上から顎まで覆える大きさにすることで、装着者本人の飛沫飛散を防止するだけでなく、他者が発した飛沫から装着者本人の目も同時に保護できる。【００１２】  本体を顔面に装着した際の安定性向上を目的として、紐３は適切な間隔を開けて固定している。即ち、装着時はフレーム１と左右二か所の紐３によって本体が顔面に固定されるため、頭部を動かす動作をした際にズレ防止の機能を果たす。【００１３】  ストロー等を挿入できる大きさの下部開口部４を設けることで、本体を顔面に装着したまま飲料等を摂取することが可能となる。【００１４】  フレーム１やシールド２は柔軟性のある素材を用いることで、梱包時の省スペース化を可能とする。
【符号の説明】
【００１５】１  フレーム
２  シールド
３  紐
４  下方開口部
【図１】
0003228407.tif 000003